(57)【要約】【課題】渦巻きケーシング内で生じる旋回流が吸込みカバーへ返流されることを阻止し、ポンプ効率が低下することのない渦巻きポンプを提供する。【解決手段】渦巻きケーシング１内に羽根車２を収容した渦巻きポンプにおいて、吸込みカバー３の上面に環状の逆流阻止壁４を凸設し、該逆流阻止壁４の一部に通過性向上用の切欠部６を凹設する。羽根車２の回転によって吸込口７から吸込まれた揚水は、渦巻きケーシング１内で該ケーシングの内壁１ｗに衝突して上から下への旋回流となるが、逆流阻止壁４の存在により吸込みカバー３側への返流が阻止せられ、吸込みカバー３上面の揚水との衝突を回避して乱流を生じることなく、渦巻きケーシング１内を巡る過程で圧力エネルギーを生じることで切欠部６を通過してポンプ吐出口５から吐出される。【選択図】        図１
2005155393.tif 000002
【特許請求の範囲】
【請求項１】
渦巻きケーシング内に羽根車を収容した渦巻きポンプにおいて、羽根車と対向する吸込みカバーの上面に環状の逆流阻止壁を凸設し、且つ、該逆流阻止壁の一部に通過性向上用の切欠部を凹設したことを特徴とする渦巻きポンプ。
【請求項２】
請求項１記載の渦巻きポンプにおいて、逆流阻止壁に凹設された切欠部が、ポンプ吐出口に面する位置に形成されていることを特徴とする渦巻きポンプ。
【請求項３】
請求項２記載の渦巻きポンプにおいて、逆流阻止壁に凹設された切欠部は、羽根車の回転方向と対向する側の縁部が、渦巻きケーシング内の舌部よりも若干反回転方向寄りに位置していることを特徴とする渦巻きポンプ。
【請求項４】
請求項１ないし３記載の渦巻きポンプにおいて、逆流阻止壁の凸設高さが渦巻きケーシングの高さの１／２ないし１／３程度の高さであることを特徴とする渦巻きポンプ。
【請求項５】
請求項２ないし４記載の渦巻きポンプにおいて、渦巻きケーシング内の舌部が、逆流阻止壁の始端部外側へ接近していることを特徴とする渦巻きポンプ。
【発明の詳細な説明】
【技術分野】
【０００１】
本発明は、渦巻きポンプに関するものである。
【背景技術】
【０００２】
周知のように渦巻きポンプは、羽根車の回転に伴う遠心エネルギーによって吸込口から吸込まれた揚水が渦巻きケーシング内を巡る過程で圧力エネルギーに変換されることで吐出口から吐出される。しかし一方において、渦巻きケーシング内に導入された揚水の流れが該ケーシングの内壁に衝突して上から下への旋回流となり、該旋回流の吸込みカバー側への返流が羽根車により導出される揚水と吸込みカバーの上端開口において衝突し乱流が発生してポンプ効率が低下するという結果を招くことは、従来の渦巻きケーシング構造では避けられないところである（例えば、特許文献１、２参照）。
【特許文献１】特開２００３−２３９８９２号公報（第１図）
【特許文献２】特開２００２−６１５９５号公報（第５図）
【発明の開示】
【発明が解決しようとする課題】
【０００３】
解決しようとする課題は、渦巻きケーシング内で生じる旋回流が吸込みカバーへ返流されることを阻止し、ポンプ効率が低下することのない渦巻きポンプを提供することにある。
【課題を解決するための手段】
【０００４】
本発明渦巻きポンプでは、羽根車と対向する吸込みカバーの上面に環状の逆流阻止壁を凸設し、且つ、該逆流阻止壁の一部に通過性向上用の切欠部を凹設したことを最も主要な特徴とする。
【発明の効果】
【０００５】
本発明渦巻きポンプによれば、吸込みカバーの上面に環状の逆流阻止壁が存在することにより、渦巻きケーシング内から吸込みカバー側への返流が阻止せられ、且つ、該逆流阻止壁の一部に切欠部を凹設したことにより通過性が向上して、ポンプ性能を低下させることなしに固形物等の通過径を大きく設定することができる。
【発明を実施するための最良の形態】
【０００６】
渦巻きケーシング内に羽根車を収容した渦巻きポンプにおいて、羽根車と対向する吸込みカバーの上面に、渦巻きケーシングの高さの１／２ないし１／３程度の高さの逆流阻止壁を環状に凸設し、該逆流阻止壁には、ポンプ吐出口に面する位置に通過性向上用の切欠部を凹設し、該切欠部は、羽根車の回転方向と対向する側の縁部が、渦巻きケーシング内の舌部よりも若干反回転方向寄りに位置しているよう形成する。
【実施例１】
【０００７】
渦巻きケーシング１内に羽根車２を収容した渦巻きポンプにおいて、吸込みカバー３の上面に環状の逆流阻止壁４を凸設し、該逆流阻止壁４には、ポンプ吐出口５に面する位置に通過性向上用の切欠部６を凹設する。羽根車２の回転に伴う遠心エネルギーによって吸込口７から吸込まれた揚水は、渦巻きケーシング１内で該ケーシングの内壁１ｗに衝突して上から下への旋回流となるが、逆流阻止壁４の存在により吸込みカバー３側への返流が阻止せられ、吸込みカバー３上面の揚水との衝突を回避して乱流を生じることなく、渦巻きケーシング１内を巡る過程で圧力エネルギーを生じることで切欠部６を通過してポンプ吐出口５から吐出される。
【実施例２】
【０００８】
渦巻きケーシング１内に羽根車２を収容した渦巻きポンプにおいて、吸込みカバー３の上面に環状の逆流阻止壁４を凸設し、該逆流阻止壁４には、ポンプ吐出口５に面する位置に通過性向上用の切欠部６を凹設し、該切欠部６は通過物をポンプ吐出口５へ誘導し易くするため、羽根車２の回転方向と対向する側の縁部６ｅが図３に示すよう、渦巻きケーシング１内の舌部８よりも若干反回転方向寄りに位置している。羽根車２の回転に伴う遠心エネルギーによって吸込口７から吸込まれた揚水は、渦巻きケーシング１内で該ケーシングの内壁１ｗに衝突して上から下への旋回流となるが、逆流阻止壁４の存在により吸込みカバー３側への返流が阻止せられ、吸込みカバー３上面の揚水との衝突を回避して乱流を生じることなく、渦巻きケーシング１内を巡る過程で圧力エネルギーを生じることで切欠部６を容易に通過してポンプ吐出口５から吐出される。
【実施例３】
【０００９】
渦巻きケーシング１内に羽根車２を収容した渦巻きポンプにおいて、羽根車２と対向する吸込みカバー３の上面に環状の逆流阻止壁４を凸設し、ポンプ効率および揚程を向上させるため、逆流阻止壁４の高さｔは図２に示すよう、渦巻きケーシング１の高さＴの１／２ないし１／３程度とし、且つ、該逆流阻止壁４の一部に通過性向上用の切欠部６を凹設する。羽根車２の回転に伴う遠心エネルギーによって吸込口７から吸込まれた揚水は、渦巻きケーシング１内で該ケーシングの内壁１ｗに衝突して上から下への旋回流となるが、逆流阻止壁４の存在により吸込みカバー３側への返流が阻止せられ、吸込みカバー３上面の揚水との衝突を回避して乱流を生じることなく、渦巻きケーシング１内を巡る過程で圧力エネルギーを生じることで切欠部６を極めて容易に通過してポンプ吐出口５から吐出される。
【実施例４】
【００１０】
渦巻きケーシング１内に羽根車２を収容した渦巻きポンプにおいて、吸込みカバー３の上面に環状の逆流阻止壁４を凸設し、該逆流阻止壁４には、ポンプ吐出口５に面する位置に通過性向上用の切欠部６を凹設し、更に異物をポンプ吐出口５へ誘導排出し易くするために図４に示すよう、渦巻きケーシング１内の舌部８が、逆流阻止壁４の始端部外側４ａへ接近し、その余の部位では渦巻きケーシング内壁１ｗと逆流阻止壁外周４ｂとの間隔が拡げられた態様に構成する。羽根車２の回転に伴う遠心エネルギーによって吸込口７から吸込まれた揚水は、渦巻きケーシング１内で該ケーシングの内壁１ｗに衝突して上から下への旋回流となるが、逆流阻止壁４の存在により吸込みカバー３側への返流が阻止せられ、吸込みカバー３上面の揚水との衝突を回避して乱流を生じることなく、渦巻きケーシング１内を巡る過程で圧力エネルギーを生じることで切欠部６を通過してポンプ吐出口５から吐出され、揚水中に混在する異物も極めて容易にポンプ吐出口５へ誘導排出されることになる。
【図面の簡単な説明】
【００１１】
【図１】本発明渦巻きポンプの要部縦断側面図である。
【図２】本発明渦巻きポンプにおける渦巻きケーシングおよび吸込みカバーの縦断側面図である。
【図３】図２のＡ−Ａ線における横断平面図であって、実施例２の態様を示す。
【図４】図２のＡ−Ａ線における横断平面図であって、実施例４の態様を示す。
【符号の説明】
【００１２】
１      渦巻きケーシング
２      羽根車
３      吸込みカバー
４      逆流阻止壁
４ａ    始端部外側
５      ポンプ吐出口
６      切欠部
６ｅ    縁部
８      舌部
【図１】
2005155393.tif 000003
【図２】
2005155393.tif 000004
【図３】
2005155393.tif 000005
【図４】
2005155393.tif 000006